(57)【特許請求の範囲】
【請求項１】
無線局間で対向局からの信号波の受信レベルを監視し、受信レベルが所定レベル以下になったならば送信電力レベルを上昇側に切り換える送信電力補償制御方法であって、
前記受信レベルが所定レベル以下になったことを示す検出信号を、該対向の無線局の固有差に基づく検出時間差より大きく、かつ受信レベルが最低受信レベル以下に低下しない時間の範囲内の遅延時間を持つ遅延装置で遅延し、その遅延信号によって送信電力レベルの切換えを開始する
ことを特徴とする送信電力補償制御方法。
【請求項２】
前記所定レベルは、降雨判定レベルであることを特徴とする請求項１記載の送信電力補償制御方法。
【請求項３】
対向局からの信号波の受信レベルを監視し、受信レベルが所定レベル以下になったならば送信電力レベルを上昇側に切り換える切替手段を有する無線局の送信電力補償制御装置であって、
前記受信レベルが所定レベル以下になったことを検出する検出手段と、
前記示す検出信号を、対向の無線局の固有差に基づく検出時間差より大きく、かつ受信レベルが最低受信レベル以下に低下しない時間の範囲内の遅延時間を持ち、前記検出手段の検出出力を遅延する遅延手段と、
前記遅延手段によるの遅延信号によって前記切替手段による送信電力レベルの切換えを制御する制御手段と
を具備することを特徴とする送信電力補償制御装置。
【請求項４】
前記所定レベルは、降雨判定レベルであることを特徴とする請求項３記載の送信電力補償制御装置。
【発明の詳細な説明】
【０００１】
【発明の属する技術分野】
本発明は、２地点間で対向する無線局の送信電力補償制御方法および装置に関し、特に、降雨や降雪等の気象条件に起因する受信レベルの電波伝播損失を補償する送信電力補償制御方法および装置に関するものである。
【０００２】
【従来の技術】
２地点間で無線通信を行なうシステム、例えばミリ波帯で２地点間通信を行なう無線通信システムでは、降雨（雨粒）や降雪による電波の吸収によって受信レベルが減衰し、安定した通信を行なうことができなくなる。
【０００３】
そこで、図６に示すように、各地点の無線局に、情報の伝送媒体である信号波１３の送受信系統とは別に、ビーコン波受信装置１０とビーコン波送信装置１１を設け、ビーコン波送信装置１１からビーコン波１２を適宜の時間間隔で発生させ、そのビーコン波１２をアンテナ８を通じて対局の無線局Ｂに送信し、また同様に無線局Ｂから無線局Ａに対してもビーコン波１２を送信させ、それぞれ対局から送信されたビーコン波１２をビーコン波受信装置１０で受信し、その受信レベルを検出し、降雨等の影響によって受信レベルが所定レベル以下に減衰している場合には、送信電力制御装置９を制御し、情報の伝送媒体である信号波１３のレベルを上げるように構成したものがある。
【０００４】
なお、図６において、１は伝送情報を搬送波で変調して信号波に変換する変調器（ＭＯＤ）、３は信号波の増幅器、４は対局から受信した信号波から伝送情報を復調する復調器、７は低雑音増幅器である。
【０００５】
ところが、このビーコン波を用いる構成にあっては、ビーコン波の送信装置と受信装置をそれぞれの無線局に設けなければならないため、各無線局の構成が複雑かつ高価になるという問題がある。
【０００６】
そこで、図７に示すように、ビーコン波送信装置およびビーコン波受信装置の代わりに、信号波１３の受信電力監視装置６を各無線局Ａ，Ｂに設け、信号波の受信電力に応じて出力レベル切換え装置２を制御し、降雨等による受信電力の減衰を補償するようにする構成が考えられる。
【０００７】
【発明が解決しようとする課題】
しかし、図７の構成にあっては、各無線局Ａ，Ｂとも同一構成であるものの、装置の受信レベル検出特性に僅かな固有差が存在する。このため、全く同一時刻に降雨が発生したとしても、図８に示すように、その固有差が原因でそれぞれの降雨判定タイミングに差が生じてしまう。
【０００８】
このような降雨判定タイミングの差が存在すると、もし、無線局Ｂが受信波の滅衰を検出する前に、無線局Ａが受信波の減衰を検出し送信電力レベルを上げたとすると、図９に示すように、無線局Ｂでは無線局Ａが送信電力レベルを上げた分だけ受信電力レベルが上がるため、結果的に、無線局Ｂは受信波の減衰を見逃し、送信電力レベルを上げないように動作してしまう。このため、無線局Ａの受信電力レベルは増加されず、無線局Ａ，Ｂの送信電力レベルが平衡しなくなり、安定した送受信電力レベルの補償が不可能になるという問題がある。
【０００９】
本発明は、対向する無線局の受信レベル検出特性に固有差が存在する場合であって、降雨等の気象条件に起因する信号波の減衰を安定して補償することができる送信電力補償制御方法および装置を提供することを目的とする。
【００１０】
【課題を解決するための手段】
上記目的を達成するため、請求項１の発明は、無線局間で対向局からの信号波の受信レベルを監視し、受信レベルが所定レベル以下になったならば送信電力レベルを上昇側に切り換える送信電力補償制御方法であって、前記受信レベルが所定レベル以下になったことを示す検出信号を、該対向の無線局の固有差に基づく検出時間差より大きく、かつ受信レベルが最低受信レベル以下に低下しない時間の範囲内の遅延時間を持つ遅延装置で遅延し、その遅延信号によって送信電力レベルの切換えを開始することを特徴とする。
また、請求項２の発明は、請求項１の発明において、前記所定レベルは、降雨判定レベルであることを特徴とする。
【００１１】
また、請求項３の発明は、対向局からの信号波の受信レベルを監視し、受信レベルが所定レベル以下になったならば送信電力レベルを上昇側に切り換える切替手段を有する無線局の送信電力補償制御装置であって、前記受信レベルが所定レベル以下になったことを検出する検出手段と、前記示す検出信号を、対向の無線局の固有差に基づく検出時間差より大きく、かつ受信レベルが最低受信レベル以下に低下しない時間の範囲内の遅延時間を持ち、前記検出手段の検出出力を遅延する遅延手段と、前記遅延手段によるの遅延信号によって前記切替手段による送信電力レベルの切換えを制御する制御手段とを具備することを特徴とする。
また、請求項４の発明は、請求項３の発明において、前記所定レベルは、降雨判定レベルであることを特徴とする。
【００１２】
以下、この発明に係わる送信電力補償制御方法および装置の一実施の形態を添付図面を参照して詳細に説明する。
【００１３】
図１（ａ）は、この発明を適用した無線局の一実施の形態を示す構成図であり、図６および図７と同一部分は、同一記号で表わし、その説明は省略する。
【００１４】
図１（ａ）における無線局Ａ，Ｂにおいて、従来構成と異なる点は、受信電力監視装置６の後段にディレイ装置５を設けたことである。
【００１５】
この構成において、変調器１から出力された信号波は出力レベル切換え装置２および増幅器３を経てアンテナ８に入力され、このアンテナ８から信号波１２として対向する無線局Ｂに送信される。
【００１６】
これに対して、信号波１２をアンテナ８で受信した無線局Ｂの低雑音増幅器７は、受信信号波を増幅し、受信電力監視装置６に入力すると共に、復調器４に入力する。復調器４は、信号波から伝送情報を復調して出力する。
【００１７】
受信電力監視装置６は、受信した信号波の受信電力レベルが降雨判定レベル以下に下がっているかどうかを監視しており、降雨判定レベル以下に下がっていれば、送信電力レベルを上げるための指示信号をディレイ装置５に入力する。ディレイ装置５は、送信電力上昇指示信号を所定時間だけ遅延して出力レベル切り換え装置２に入力し、自局から送信する信号波の送信電力を上昇させる。
【００１８】
受信電力監視装置６は、例えば図１（ｂ）に示すように、抵抗器６１で設定される降雨判定電位と増幅器７の出力電位とを比較し、増幅器７の出力電位が降雨判定電位よりも低い場合は、送信電力上昇指示信号を出力する比較器６２によって構成することができる。また、コンピュータによる比較処理によって構成することができる。コンピュータによる比較処理については、後述する。
【００１９】
ディレイ装置５の遅延時間は、無線局Ａ，Ｂの特性の固有差を吸収し、かつ受信電力レベルが最低受信レベル以下に割り込まない範囲内の時間に設定される。すなわち、図２に示すように、降雨の開始後において無線局Ａ，Ｂの受信電力レベルは徐々に低下し、システムの回線品質を保証する最低受信レベル以下に下がろうとする。
【００２０】
そこで、受信電力レベルが下がり始めてから最低受信レベル以下に下がる前までの間の時間帯において無線局Ａ，Ｂの特性の固有差を吸収し得る遅延時間Ｔｄ１（無線局Ａ，Ｂの固有差に基づく検出時間差より大きい時間）を設定する。すると、無線局Ａ，Ｂの特性に固有差が存在したとしても、一方の無線局のみが受信電力レベルの減衰に反応し、他方が反応しなくなるということはなくなる。
【００２１】
すなわち、図２に示すように、無線局Ａが先に降雨判定レベルになったことを検出しても、送信電力上昇指示信号はＴｄ１時間遅れて自局の出力レベル切換え装置２に入力される。
【００２２】
一方、無線局Ｂは無線局Ａにおいて送信電力上昇指示信号がＴｄ１時間遅れて出力されるため、確実に降雨判定レベルになったことを検出し、送信電力上昇指示信号を出力することができる。
【００２３】
もしも、図３に示すように、最低受信レベル以下に下がるような長い遅延時間Ｔｄ２（Ｔｄ２＞Ｔｄ１）に設定した場合、補償動作が遅れてしまい、回線品質を保証できなくなる。
【００２４】
図４は、降雨の開始に伴う受信レベル、送信レベル、送信電力指示レベル（ＴＰＣ）を時間経過と共にグラフ化して示した図であり、時刻ｔ８で受信レベルが降雨判定レベルに到達したことを受信電力監視装置６が検出し、遅延時間Ｔｄ１経過後の時刻ｔ９で出力レベル切換え装置２に送信電力上昇指示信号を出力し、送信電力をアップ側に切り換える。これに伴い、降雨による減衰が存在するにも拘らず、送信電力レベルは漸次上昇し、時刻ｔ１５で通常レベル（晴天時の通常レベル）に到達し、補償動作を終了する。
【００２５】
図５は、受信電力監視装置６の監視動作をコンピュータの比較処理で実現する場合の処理手順の一例を示すフローチャートである。
【００２６】
まず、対向する無線局から受信した信号波の受信レベルを監視し（ステップ５０１）、受信レベルが降雨判定レベルになっているかどうかを判定し（ステップ５０２）、降雨判定レベルになっていれば、タイマＴをオンし（ステップ５０３）、タイマＴがＴｄ１時間になるまで待機しＴｄ１時間経過したならば（ステップ５０４）、出力上昇指示信号を出力する（ステップ５０５）。
【００２７】
そして、再び受信レベルの監視を行い（ステップ５０６）、晴雨判定レベルに到達したかどうかを判定し（ステップ５０７）、晴雨判定レベルに到達している場合は、送信電力上昇指示信号の出力を停止する。
【００２８】
もし、晴雨判定レベルに到達していない場合は、送信電力上昇指示信号の出力を継続させる。
【００２９】
一方、ステップ５０２において、降雨判定レベルになっていない場合は、ステップ５０１に戻って受信レベルの監視を継続する。
【００３０】
【発明の効果】
以上のように本発明によれば、対向局からの信号波の受信レベルが所定レベル以下になったことを示す信号を、対向の無線局の検出特性の差を吸収し、かつ受信レベルが最低受信レベル以下に低下しない時間の範囲内の遅延時間を持つ遅延装置で遅延し、その遅延信号によって出力レベルの切換えを開始するようにしたため、対向する無線局の特性に固有差が存在する場合であって、降雨等の気象条件に起因する信号波の減衰を安定して補償することができる。
【図面の簡単な説明】
【図１】この発明を適用した無線局の一実施の形態を示す構成ず。
【図２】遅延装置の遅延時間の最適設定例の説明図。
【図３】遅延装置の不適切な設定例の説明図。
【図４】受信レベルの補償動作を示す説明図。
【図５】受信レベル監視をコンピュータによって実施する場合の手順を示すフローチャート。
【図６】従来の送信電力補償機能を備えた無線局の構成図。
【図７】従来の送信電力補償機能を備えた無線局の他の例を示す構成図。
【図８】図７の構成における受信レベル判定時刻の差を示す説明図。
【図９】図７の構成における送信電力補償動作を示す説明図。
【符号の説明】
１    変調器
２    出力レベル切換え装置
３    増幅器
４    復調器
５    ディレイ装置
６    受信電力監視装置
７    低雑音増幅器
８    アンテナ
９    送信電力制御装置
１３  信号波
【図１】
0003589854.tif 000002
【図２】
0003589854.tif 000003
【図３】
0003589854.tif 000004
【図４】
0003589854.tif 000005
【図５】
0003589854.tif 000006
【図６】
0003589854.tif 000007
【図７】
0003589854.tif 000008
【図８】
0003589854.tif 000009
【図９】
0003589854.tif 000010